【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
約３０〜約８０乾燥重量％の、原料樹脂（ｒａｗ  ｒｅｓｉｎ）、合成ベース樹脂（ｂａｓｅ  ｒｅｓｉｎ）およびそれらの組み合わせ物から選択されるベース樹脂；
約１〜約３０％の、モノマレイミド、ビスマレイミドの少なくとも１種の単量体またはモノマレイミドとビスマレイミド単量体の組み合わせ物；
難燃剤；並びに
重合開始剤：
を含んでなるワニス組成物。
【請求項２】
ベース樹脂が約４０〜約７０乾燥重量％の範囲の量で存在する、請求項１のワニス組成物。
【請求項３】
ベース樹脂が不飽和ポリオレフィン重合体である、請求項１のワニス組成物。
【請求項４】
不飽和ポリオレフィン重合体がポリブタジエン、ポリイソプレン、ブタジエンとスチレン単量体の共重合体、ブタジエン／スチレン／ジビニルベンゼンの三ブロック共重合体およびそれらの組み合わせ物よりなる群から選択される、請求項３のワニス組成物。
【請求項５】
ベース樹脂が合成ベース樹脂である、請求項１のワニス組成物。
【請求項６】
合成ベース樹脂が、
ｉ．    約１〜約９９重量％の少なくとも１種の不飽和ポリオレフィン重合体；および
ｉｉ．  約１〜約５０重量％の少なくとも１種の、モノマレイミドまたはビスマレイミドの単量体あるいはそれらの組み合わせ物：
を含んでなる成分の混合物の合成生成物である、請求項５のワニス組成物。
【請求項７】
不飽和ポリオレフィン重合体が約１０００〜約５０００の分子量を有する、請求項６のワニス組成物。
【請求項８】
モノマレイミドまたはビスマレイミドの少なくとも１種の単量体またはそれらの組み合わせ物が、Ｎ−フェニル−マレイミド、Ｎ−フェニル−メチルマレイミド、Ｎ−フェニル−クロロマレイミド、Ｎ−ｐ−クロロフェニル−マレイミド、Ｎ−ｐ−メトキシフェニル−マレイミド、Ｎ−ｐ−メチルフェニル−マレイミド、Ｎ−ｐ−ニトロフェニル−マレイミド、Ｎ−ｐ−フェノキシフェニル−マレイミド、Ｎ−ｐ−フェニルアミノフェニル−マレイミド、Ｎ−ｐ−フェノキシカルボニルフェニル−マレイミド、１−マレイミド−４−アセトキシスクシンイミド−ベンゼン、４−マレイミド−４’−アセトキシスクシンイミド−ジフェニルメタン、４−マレイミド−４’−アセトキシスクシンイミド−ジフェニルエーテル、４−マレイミド−４’−アセトアミド−ジフェニルエーテル、２−マレイミド−６−アセトアミド−ピリジン、４−マレイミド−４’−アセトアミド−ジフェニルメタンおよびＮ−ｐ−フェニルカルボニルフェニル−マレイミドＮ−エチルマレイミド、Ｎ−２．６−キシリルマレイミド、Ｎ−シクロヘキシルマレイミド、Ｎ−２，３−キシリルマレイミド、キシリルマレイミド、２，６−キシレンマレイミド、４，４’−ビスマレイミドジフェニルメタンおよびそれらの組み合わせ物よりなる群から選択される、請求項６のワニス組成物。
【請求項９】
合成ベース樹脂が約３０〜約７０重量％の不飽和ポリオレフィン重合体および約５〜約３５重量％の少なくとも１種の、モノマレイミドまたはビスマレイミドの単量体またはそれらの組み合わせ物を含む、請求項６のワニス組成物。
【請求項１０】
成分の混合物が更に反応性単量体を含む、請求項６のワニス組成物。
【請求項１１】
反応性単量体がスチレン、ブロモ−スチレン、ジブロモスチレン、ジビニルベンゼン、ペンタブロモベンジルアクリレート、トリビニルシクロヘキサン、トリアリルイソシアヌレート、トリアリルシアヌレート、トリアクリレートイソシアヌレートおよびそれらの組み合わせ物から選択される、請求項１０のワニス組成物。
【請求項１２】
成分の混合物が２種以上の反応性単量体を含む、請求項１１のワニス組成物。
【請求項１３】
反応性単量体が可溶性臭素化反応性単量体である、請求項１０のワニス組成物。
【請求項１４】
更に、付着促進剤（ａｄｈｅｓｉｏｎ  ｐｒｏｍｏｔｅｒ）を含む、請求項６のワニス組成物。
【請求項１５】
付着促進剤が成分の混合物中に含まれる、請求項１４のワニス組成物。
【請求項１６】
付着促進剤がベース樹脂とは別のワニス組成物の成分である、請求項１４のワニス組成物。
【請求項１７】
合成されたベース樹脂の不飽和ポリオレフィン重合体成分がブタジエン−スチレンの共重合体である、請求項６のワニス組成物。
【請求項１８】
合成されたベース樹脂の単量体成分がモノマレイミドである、請求項６のワニス組成物。
【請求項１９】
モノマレイミド、ビスマレイミドの少なくとも１種の単量体またはモノマレイミドとビスマレイミド単量体の組み合わせ物が、約５〜約２０乾燥重量％の範囲の量で存在する、請求項１のワニス組成物。
【請求項２０】
モノマレイミド、ビスマレイミドの単量体またはモノマレイミドとビスマレイミド単量体の組み合わせ物が、Ｎ−フェニル−マレイミド、Ｎ−フェニル−メチルマレイミド、Ｎ−フェニル−クロロマレイミド、Ｎ−ｐ−クロロフェニル−マレイミド、Ｎ−ｐ−メトキシフェニル−マレイミド、Ｎ−ｐ−メチルフェニル−マレイミド、Ｎ−ｐ−ニトロフェニル−マレイミド、Ｎ−ｐ−フェノキシフェニル−マレイミド、Ｎ−ｐ−フェニルアミノフェニル−マレイミド、Ｎ−ｐ−フェノキシカルボニルフェニル−マレイミド、１−マレイミド−４−アセトキシスクシンイミド−ベンゼン、４−マレイミド−４’−アセトキシスクシンイミド−ジフェニルメタン、４−マレイミド−４’−アセトキシスクシンイミド−ジフェニルエーテル、４−マレイミド−４’−アセトアミド−ジフェニルエーテル、２−マレイミド−６−アセトアミド−ピリジン、４−マレイミド−４’−アセトアミド−ジフェニルメタンおよびＮ−ｐ−フェニルカルボニルフェニル−マレイミドＮ−エチルマレイミド、Ｎ−２．６−キシリルマレイミド、Ｎ−シクロヘキシルマレイミド、Ｎ−２，３−キシリルマレイミド、キシリルマレイミド、２，６−キシレンマレイミド、４，４’−ビスマレイミドジフェニルメタンおよびそれらの組み合わせ物よりなる群から選択される、請求項１のワニス組成物。
【請求項２１】
難燃剤が約５〜約５０重量％の範囲の量で組成物中に存在する、請求項１のワニス組成物。
【請求項２２】
難燃剤がデカブロモジフェニルエタン・エチレンビステトラブロモフタルイミド、デカブロモジフェニルオキシド、臭素化ポリスチレンおよびそれらの組み合わせ物である、請求項１のワニス組成物。
【請求項２３】
少なくとも１種の充填剤を含む請求項１のワニス組成物。
【請求項２４】
更に反応性単量体を含む、請求項１のワニス組成物。
【請求項２５】
約４０〜約６０重量％の、ポリブタジエン／スチレン／ジビニルベンゼンの共重合体；
約１〜約３０重合体％の、Ｎ，Ｎ’−エチレン−ビス−マレイミド、Ｎ，Ｎ’−ヘキサメチレン−ビス−マレイミド、Ｎ，Ｎ’−メタ−フェニレン−ビス−マレイミド、Ｎ，Ｎ’−パラ−フェニレン−ビス−マレイミド、Ｎ，Ｎ’−４，４’−ビフェニレン−ビス−マレイミド、Ｎ，Ｎ’−４，４’−ジフェニルメタン−ビス−マレイミド、Ｎ，Ｎ’−４，４’−（ジフェニルエーテル）−ビス−マレイミド、Ｎ，Ｎ’−４，４’−（ジフェニルスルフィド）−ビス−マレイミド、Ｎ，Ｎ’−ｍ−フェニレンビスマレイミド、４，４’−ジフェニルメタンビスマレイミド、Ｎ，Ｎ’−（４−メチル−ｍ−フェニレン）−ビスマレイミド、ポリフェニルメタンビスマレイミド、Ｎ，Ｎ’−４，４’−ジフェニルスルホン−ビス−マレイミド、Ｎ，Ｎ’−４，４’−ジシクロヘキシルメタン−ビス−マレイミド、Ｎ，Ｎ’−．アルファ．，．アルファ．’−４，４’−ジメチレンシクロヘキサン−ビス−マレイミド、Ｎ，Ｎ’−メタ−キシレン−ビス−マレイミド、Ｎ，Ｎ’−パラ−キシレン−ビス−マレイミド、Ｎ，Ｎ’−４，４’−（１，１−ジフェニルシクロヘキサン）−ビス−マレイミド、Ｎ，Ｎ’−４，４’−ジフェニルメタン−ビス−クロロマレイミド、Ｎ，Ｎ’−４，４’−（１，１−ジフェニルプロパン）−ビス−マレイミド、Ｎ，Ｎ’−４，４’−（１，１，１−トリフェニルエタン）−ビス−マレイミド、Ｎ，Ｎ’−４，４’−トリフェニルメタン−ビス−マレイミド、Ｎ，Ｎ’−３，５−トリアゾール−１，２，４−ビス−マレイミド、Ｎ，Ｎ’−ドデカメチレン−ビス−マレイミド、Ｎ，Ｎ’−（２，２，４−トリメチルヘキサメチレン）−ビス−マレイミド、Ｎ，Ｎ’−４，４’−ジフェニルメタン−ビス−シトラコンイミド、１，２−ビス−（２−マレイミドエトキシ）−エタン、１，３−ビス−（３−マレイミドプロポキシ）−プロパン、Ｎ，Ｎ’−４，４’−ベンゾフェノン−ビス−マレイミド、Ｎ，Ｎ’−ピリジン−２，６−ジイル−ビス−マレイミド、Ｎ，Ｎ’−ナフチレン−１，５−ビス−マレイミド、Ｎ，Ｎ’−シクロヘキシレン−１，４−ビス−マレイミド、Ｎ，Ｎ’−５−メチルフェニレン−１，３−ビス−マレイミドまたはＮ，Ｎ’−５−メトキシフェニレン−１，３−ビス−マレイミド、よりなる群から選択されるビスマレイミドの単量体、
難燃剤、および
重合開始剤：
を含む、請求項１のワニス組成物。
【請求項２６】
請求項１の少なくとも部分硬化されたワニス組成物を含んでなるプレプレグ。
【請求項２７】
プレプレグがワニス組成物で含浸された織物ガラス布帛のコア材料を含む、請求項２６のプレプレグ。
【請求項２８】
請求項１のワニス組成物で少なくとも片面上を塗布された銅箔シート。
【請求項２９】
少なくとも１枚の層として請求項２６の完全硬化プレプレグを含む積層板を含む、多層積層板。
【請求項３０】
少なくとも１枚の層として請求項２６の完全硬化プレプレグを含む印刷回路板。
【請求項３１】
溶媒の存在下で、約１〜約９９重量％の少なくとも１種の不飽和ポリオレフィン重合体および約１〜約５０重量％の、モノマレイミド、ビスマレイミドの少なくとも１種の単量体およびそれらの混合物を混合し、
混合物に重合開始剤を添加して反応性混合物を形成し、
反応性混合物を約９０〜約１０５℃の温度に加熱し、そして反応性混合物が２５℃で測定されて約３００〜１０００ｃＰの粘度に到達するのに十分な期間、反応混合物を反応させ、そして
反応性混合物に反応抑制剤を添加して、反応を停止させる、
工程、ここで、混合物はポリフェニレンエーテルを含まない、
により、合成ベース樹脂を調製する方法。
【請求項３２】
溶媒が、ベース（ｂａｓｅ）共重合体混合物の重量の０〜約５０重量％の範囲の量のジメチルホルムアミドを含む、請求項３１の方法。
【請求項３３】
溶媒がジメチルホルムアミドおよびトルエンを含む、請求項３１の方法。
【請求項３４】
不飽和ポリオレフィン重合体が約１０００〜約５０００の分子量をもつ、請求項３１の方法。
【請求項３５】
モノマレイミド、ビスマレイミドの少なくとも１種の単量体およびそれらの組み合わせ物がモノマレイミド単量体である、請求項３１の方法。
【請求項３６】
合成ベース樹脂が約３０〜約７０重量％の不飽和ポリオレフィン重合体および約５〜約３５重量％の少なくとも１種のマレイミド単量体を含む、請求項３１の方法。
【請求項３７】
混合物が更に、反応性単量体を含む、請求項３１の方法。
【請求項３８】
反応性単量体が少なくとも１種のスチレン単量体である、請求項３７の方法。
【請求項３９】
反応性単量体が可溶性ハロゲン化単量体である、請求項３７の方法
【請求項４０】
可溶性ハロゲン化単量体がジブロモスチレンである、請求項３９の方法。
【請求項４１】
混合物が付着促進剤を含む、請求項３１の方法。
【請求項４２】
付着促進剤が１種以上のウレタンの二官能メタクリレートである、請求項４１の方法。
【請求項４３】
不飽和ポリオレフィン重合体がブタジエン−スチレンの共重合体である、請求項３１の方法。
【請求項４４】
モノマレイミド、ビスマレイミドの少なくとも１種の単量体およびそれらの混合物が、Ｎ−フェニル−マレイミド、Ｎ−フェニル−メチルマレイミド、Ｎ−フェニル−クロロマレイミド、Ｎ−ｐ−クロロフェニル−マレイミド、Ｎ−ｐ−メトキシフェニル−マレイミド、Ｎ−ｐ−メチルフェニル−マレイミド、Ｎ−ｐ−ニトロフェニル−マレイミド、Ｎ−ｐ−フェノキシフェニル−マレイミド、Ｎ−ｐ−フェニルアミノフェニル−マレイミド、Ｎ−ｐ−フェノキシカルボニルフェニル−マレイミド、１−マレイミド−４−アセトキシスクシンイミド−ベンゼン、４−マレイミド−４’−アセトキシスクシンイミド−ジフェニルメタン、４−マレイミド−４’−アセトキシスクシンイミド−ジフェニルエーテル、４−マレイミド−４’−アセトアミド−ジフェニルエーテル、２−マレイミド−６−アセトアミド−ピリジン、４−マレイミド−４’−アセトアミド−ジフェニルメタン、Ｎ−ｐ−フェニルカルボニルフェニル−マレイミドＮ−エチルマレイミド、Ｎ−２．６−キシリルマレイミド、Ｎ−シクロヘキシルマレイミド、Ｎ−２，３−キシリルマレイミド、キシリルマレイミド、２，６−キシレンマレイミド、４，４’−ビスマレイミドジフェニルメタンおよびそれらの組み合わせ物よりなる群から選択される、請求項３１の方法。
【請求項４５】
溶媒の存在下で、約３０〜約７０重量％の、ポリイソプレン、ブタジエンとスチレン単量体の共重合体およびそれらの組み合わせ物よりなる群から選択される不飽和ポリオレフィン重合体並びに約５〜約３５重量％の、Ｎ−フェニル−マレイミド、Ｎ−フェニル−メチルマレイミド、Ｎ−フェニル−クロロマレイミド、Ｎ−ｐ−クロロフェニル−マレイミド、Ｎ−ｐ−メトキシフェニル−マレイミド、Ｎ−ｐ−メチルフェニル−マレイミド、Ｎ−ｐ−ニトロフェニル−マレイミド、Ｎ−ｐ−フェノキシフェニル−マレイミド、Ｎ−ｐ−フェニルアミノフェニル−マレイミド、Ｎ−ｐ−フェノキシカルボニルフェニル−マレイミド、１−マレイミド−４−アセトキシスクシンイミド−ベンゼン、４−マレイミド−４’−アセトキシスクシンイミド−ジフェニルメタン、４−マレイミド−４’−アセトキシスクシンイミド−ジフェニルエーテル、４−マレイミド−４’−アセトアミド−ジフェニルエーテル、２−マレイミド−６−アセトアミド−ピリジン、４−マレイミド−４’−アセトアミド−ジフェニルメタンおよびＮ−ｐ−フェニルカルボニルフェニル−マレイミドＮ−エチルマレイミド、Ｎ−２．６−キシリルマレイミド、Ｎ−シクロヘキシルマレイミド、Ｎ−２，３−キシリルマレイミド、キシリルマレイミド、２，６−キシレンマレイミドまたはそれらの組み合わせ物よりなる群から選択される、モノマレイミドの少なくとも１種の単量体を混合し、
混合物に重合開始剤を添加して反応性混合物を形成し、
反応性混合物が２５℃で測定されて約３００〜１０００ｃＰの粘度に到達するのに十分な時間、反応性混合物を約９０〜約１０５℃の温度に加熱し、そして
反応性混合物に反応抑制剤を添加して、反応を停止させる：
工程により、合成ベース樹脂を調製する方法。
【請求項４６】
混合物が、
不飽和ポリオレフィン重合体を含む第１の溶液を調製し、
モノマレイミドの少なくとも１種の単量体および少なくとも１種の反応性単量体を含む第２の溶液を調製し、そして
第１の溶液と第２の溶液とを合わせて混合物を形成する：
更なる工程により、製造される、請求項４５の方法。
【請求項４７】
少なくとも１種の反応性単量体が可溶性ハロゲン化単量体である、請求項４６の方法。
【請求項４８】
可溶性ハロゲン化単量体がジブロモスチレン、ペンタブロモベンジルアクリレートおよびそれらの組み合わせ物である、請求項４７の方法。
【請求項４９】
反応性単量体が第１の溶液に添加される、請求項４６の方法。
【請求項５０】
混合物が付着促進剤を含む、請求項４５の方法。